(57)【要約】【課題】異常内容が生じた場合に火災受信機の表示部にエラー番号が表示されるが、１つのエラー番号を表示して、操作等を行うことにより他のエラー番号を表示する際に、表示部にエラー番号が表示されているだけでは、他に表示されていないエラー番号があるのか判別することができなかった。【解決手段】ドット付き７セグメント表示器を複数並設した表示部を有した防災情報表示装置において、複数の前記ドット付き７セグメント表示器の一部を１８０度回転させて配置することで、前記７セグメント表示器の左上部に左上ドットセグメントを、右下部に右下ドットセグメントを設け、他の表示内容があるときには前記左上ドットセグメントと前記右下ドットセグメントの一方を表示状態とし、後の表示内容があるときには前記左上ドットセグメントと前記右下ドットセグメントの他方を表示状態とする。【選択図】  図３
2018018364.tif 000002
【特許請求の範囲】
【請求項１】
ドット付き７セグメント表示器を複数並設した表示部を有し、
複数の前記ドット付き７セグメント表示器の一部を１８０度回転させて配置することで、前記７セグメント表示器の左上部に左上ドットセグメントを、右下部に右下ドットセグメントを設け、
表示する表示内容が複数ある場合には、切り替えて個々の表示内容を前記表示部に表示し、前の表示内容があるときには前記左上ドットセグメントと前記右下ドットセグメントの一方を表示状態とし、後の表示内容があるときには前記左上ドットセグメントと前記右下ドットセグメントの他方を表示状態とする
防災情報表示装置。
【請求項２】
上方を示す上方入力部と、下方を示す下方入力部を有し、
前記左上ドットセグメントが表示状態である場合に前記上方入力部により入力すると、前記表示部の表示が前記前の表示内容か前記後の表示内容の一方へ切り替わり、前記右下ドットセグメントが表示状態である場合に前記下方入力部により入力すると、前記表示部の表示が前記前の表示内容か前記後の表示内容の他方へ切り替わる
請求項１に記載された防災情報表示装置。
【請求項３】
左方を示す左方入力部と、右方を示す右方入力部を有し、
前記左上ドットセグメントが表示状態である場合に前記左方入力部により入力すると、前記表示部の表示が前記前の表示内容か前記後の表示内容の一方へ切り替わり、前記右下ドットセグメントが表示状態である場合に前記右方入力部により入力すると、前記表示部の表示が前記前の表示内容か前記後の表示内容の他方へ切り替わる
請求項１に記載された防災情報表示装置。
【請求項４】
前記表示内容は、火災部屋番号、感知器設定時のアドレス番号及びエラー番号であり、前記表示部に切り替えて表示する
請求項１乃至３の何れかに記載された防災情報表示装置。
【請求項５】
前記右下ドットセグメントの前記ドット付き７セグメント表示器と、前記左上ドットセグメントの前記ドット付き７セグメント表示器を隣接配置し、前記左上ドットセグメントと前記右下ドットセグメントを同時に表示状態とすることにより、コロンを表示する
請求項１乃至４の何れかに記載された防災情報表示装置。
【発明の詳細な説明】
【技術分野】
【０００１】
本発明は、表示部を有したＰ型やＲ型の火災受信機や、火災受信機に接続されて他室等での表示を行う火災表示盤、消火設備における表示部を有した制御盤等の防災情報表示装置に関する。
【背景技術】
【０００２】
自動火災報知設備の火災受信機には表示部が設けられ、火災部屋番号だけでなく異常内容等を表示する。特許文献１の表示部は、複数の７セグメント表示器を組み合わせて構成されている。そして、この表示部に、異常内容のコード表示や指定された端末機器の種別コード等を表示する。
【０００３】
７セグメント表示器として、小数点等に用いるドットセグメントを備えたドット付き７セグメント表示器が知られている。ドットセグメントは、数字を表示する際の小数点や英語を表示する際のピリオドとして利用される。
【先行技術文献】
【特許文献】
【０００４】
【特許文献１】特開２０００−３４８９号公報
【発明の概要】
【発明が解決しようとする課題】
【０００５】
自動火災報知設備に異常が生じた場合には、火災受信機の表示部に異常内容を示すエラー番号がコード表示されるが、異常内容は１つであるとは限らず、複数の異常内容が同時に生じる場合がある。しかし、複数の異常内容を同時に表示できる表示部は大型となりコスト高となる。また、近年では火災受信機が小型化しており、火災受信機の前面の面積が限られている。そのため、表示部に１つのエラー番号を表示して、操作等を行うことにより他のエラー番号を表示することが考えられる。しかしながら、表示部にエラー番号が表示されているだけでは、他に表示されていないエラー番号があるのか判別することができなかった。また、表示部には、エラー番号だけでなく、火災部屋番号、感知器設定時のアドレス番号等も表示されるが、その場合にも同様に他の表示内容があるのか、監視員は判別することができない。さらに、火災受信機だけでなく、火災受信機に接続された火災表示盤を監視員の宿直室等に設けることがあるが、この火災表示盤の表示部でも同様である。
【０００６】
なお、本願では、表示部を有した火災を報知する装置や、消火設備の制御盤を防災情報表示装置と記載する。防災情報表示装置は、火災受信機と火災表示盤、消火設備の制御盤を含む。
【課題を解決するための手段】
【０００７】
（１）本発明は、ドット付き７セグメント表示器を複数並設した表示部を有し、複数の前記ドット付き７セグメント表示器の一部を１８０度回転させて配置することで、前記７セグメント表示器の左上部に左上ドットセグメントを、右下部に右下ドットセグメントを設け、表示する表示内容が複数ある場合には、切り替えて個々の表示内容を前記表示部に表示し、前の表示内容があるときには前記左上ドットセグメントと前記右下ドットセグメントの一方を表示状態とし、後の表示内容があるときには前記左上ドットセグメントと前記右下ドットセグメントの他方を表示状態とする防災情報表示装置である。
【０００８】
本発明により、１種類のドット付き７セグメント表示器を用いながら、防災情報表示装置の種々の位置にドットセグメントを配置した表示部を得ることができる。さらに、ドットセグメントが表示状態とされている場合には、現表示以外に他の表示があるか否かを監視員が認識でき、左上ドットセグメントと右下ドットセグメントの両方のドットが表示状態である場合には現表示の前後の表示があることを認識することができる。
【０００９】
（２）また、本発明は、上方を示す上方入力部と、下方を示す下方入力部を有し、前記左上ドットセグメントが表示状態である場合に前記上方入力部により入力すると、前記表示部の表示が前記前の表示内容か前記後の表示内容の一方へ切り替わり、前記右下ドットセグメントが表示状態である場合に前記下方入力部により入力すると、前記表示部の表示が前記前の表示内容か前記後の表示内容の他方へ切り替わる（１）に記載された防災情報表示装置である。
【００１０】
本発明では、表示部の上部に配置された左上ドットセグメントと上方入力部、表示部の下部に配置された右下ドットセグメントと下方入力部がそれぞれ対応しているため、現表示を切り替える場合に上方入力部と下方入力部の何れを操作するかを、操作者が直感的に認識することができる。
【００１１】
（３）また、本発明は、左方を示す左方入力部と、右方を示す右方入力部を有し、前記左上ドットセグメントが表示状態である場合に前記左方入力部により入力すると、前記表示部の表示が前記前の表示内容か前記後の表示内容の一方へ切り替わり、前記右下ドットセグメントが表示状態である場合に前記右方入力部により入力すると、前記表示部の表示が前記前の表示内容か前記後の表示内容の他方へ切り替わる（１）に記載された防災情報表示装置である。
【００１２】
本発明では、表示部の左方に配置された左上ドットセグメントと左方入力部、表示部の右方に配置された右下ドットセグメントと右方入力部がそれぞれ対応しているため、現表示を切り替える場合に左方入力部と右方入力部の何れを操作するかを、操作者が直感的に認識することができる。
【００１３】
（４）また、本発明は、前記表示内容は、火災部屋番号、感知器設定時のアドレス番号及びエラー番号であり、前記表示部に切り替えて表示する（１）乃至（３）の何れかに記載された防災情報表示装置である。
【００１４】
本発明により、火災受信機等における複数種類の表示内容を切り替えて表示することができる。
【００１５】
（５）また、本発明は、前記右下ドットセグメントの前記ドット付き７セグメント表示器と、前記左上ドットセグメントの前記ドット付き７セグメント表示器を隣接配置し、前記左上ドットセグメントと前記右下ドットセグメントを同時に表示状態とすることにより、コロンを表示する（１）乃至（４）の何れかに記載された防災情報表示装置である。
【００１６】
本発明により、コロンを表示するための表示器を別途用いることなく、ドット付き７セグメント表示器だけで時刻表示を行うことができる。
【発明の効果】
【００１７】
本発明によれば、ドット付き７セグメント表示器を１種類用いるだけで、種々の表示内容を表示することができる。
【図面の簡単な説明】
【００１８】
【図１】火災受信機１の正面図。
【図２】従来の表示部３１によりエラー番号を表示している状態を示す図。
【図３】実施例１の表示部３３によりエラー番号を表示している状態を示す図。
【図４】実施例２の表示部３４によりエラー番号を表示している状態を示す図。
【図５】実施例３の表示部３５により時刻を表示している状態を示す図。
【発明を実施するための形態】
【００１９】
図１は火災受信機１の正面図である。火災代表灯２の側方に表示部３が設けられ、その下に音響停止スイッチ４と音響一時停止スイッチ５が配置されている。またその下に復旧スイッチ６が設けられ、さらにその下には十字スイッチ７が設けられている。十字スイッチ７は、上方に上向きの三角印で示された上方入力部、下方に下向きの三角印で示された下方入力部、左方に左向きの三角印で示された左方入力部、右方に右向きの三角印で示された右方入力部を備えている。火災受信機１の正面の左側には、地区灯を備えた地区表示部８が配置されている。
【００２０】
火災が発生した際には、火災代表灯２が赤色に発光すると共に、音響装置（図示せず）により火災警報音が発生する。そして、表示部３に火災部屋番号が表示され、地区表示部８の地区灯が発光する。また、表示部３には、火災感知器を設置する際に火災感知器設定時のアドレス番号を表示したり、感知器線の断線や停電、充電池の電圧低下等の異常内容を表示するエラー番号を表示したりする。
【００２１】
図２は、従来の表示部３１により異常内容を表示するエラー番号を表示している状態を示す。図２（ａ）はエラー番号「４」を表示している状態である。図２（ｂ）は、１つのドット付き７セグメント表示器３２を示す。ドット付き７セグメント表示器３２は、７つの長型セグメントと、隅部近傍に配置された１つのドットセグメント３２１から形成され、各セグメントの表示状態を変更して数字やアルファベット等を表示する。ドット付き７セグメント表示器３２には赤色ＬＥＤを用いるが、他色のＬＥＤや液晶等を用いても良い。
【００２２】
図２（ａ）の表示部３１は、ドット付き７セグメント表示器３２を複数並設して形成されている。具体的には、ドット付き７セグメント表示器３２が５つ並設され、５桁の表示部３１を形成している。図２（ａ）のように、通常は全てのドット付き７セグメント表示器３２は、ドットセグメント３２１が右下部の右下ドットセグメントになるように同じ方向で並設される。表示部３１の各ドット付き７セグメント表示器３２には、エラー番号「４」が、左側から「Ｅ」「ｒ」「ｒ」「０」「４」と表示されている。前部の「Ｅ」「ｒ」「ｒ」はエラー番号であることを、後部の「０」「４」はエラー番号を表している。
【００２３】
図２（ａ）に示したように、表示部３１が表示できる内容は５つの数字またはアルファベット等であり、５桁に限られている。そのため、エラー番号「４」に相当する異常内容以外に、エラー番号「２」、エラー番号「５」といった他のエラー番号に相当する異常内容が同時に発生した場合には、切り替えて表示する必要がある。そこで、本発明ではドット付き７セグメント表示器の一部を１８０度回転させて配置して表示を行う。
【実施例１】
【００２４】
図３は、実施例１の表示部３３によりエラー番号を表示している状態を示す。従来の表示部３１と異なり、左から２番目と５番目のドット付き７セグメント表示器３２を１８０度回転させて配置している。そのため、左から２番目と５番目のドット付き７セグメント表示器３２は左上部に左上ドットセグメント３２２を有し、その他のドット付き７セグメント表示器３２は右下部に右下ドットセグメント３２３を有する。
【００２５】
図３（ａ）は、表示する内容が１つであって、他にない場合の表示であり、左上ドットセグメント３２２と右下ドットセグメント３２３は非点灯状態となっている。表示は、エラー番号「４」である。図３（ｂ）は、エラー番号「４」だけではなく、その前にも表示する内容がある場合の表示であり、左から２番目と５番目のセグメント表示器３２において左上部に配置された左上ドットセグメント３２２が点灯状態となっている。図３（ｃ）は、エラー番号「４」だけではなく、その後にも表示する内容がある場合の表示であり、左から１番目と４番目のドット付き７セグメント表示器３２において右下部に配置された右下ドットセグメント３２３が点灯状態となっている。図３（ｄ）は、エラー番号「４」だけではなく、その前後にも表示する内容がある場合の表示であり、左から２番目と５番目のセグメント表示器３２において左上部に配置された左上ドットセグメント３２２と、左から１番目と４番目のドット付き７セグメント表示器３２において右下部に配置された右下ドットセグメント３２３が点灯状態となっている。
【００２６】
図３（ｂ）の表示の場合には、表示部３３の上部に配置された左上ドットセグメント３２２の点灯に対応して、操作者は、図１において十字スイッチ７の上方に上向きの三角印で示された上方を示す上方入力部を操作する。そうすると表示部３３はエラー番号「４」の前の表示内容であるエラー番号「２」等を表示する。また、図３（ｃ）の表示の場合には、表示部３３の下部に配置された右下ドットセグメント３２３の点灯に対応して、操作者は図１において、十字スイッチ７の下方に下向きの三角印で示された下方を示す下方入力部を操作する。そうすると表示部３３はエラー番号「４」の後の表示内容であるエラー番号「５」等を表示する。さらに、図３（ｄ）の表示の場合には、図１の十字スイッチ７の上方入力部を操作すれば、表示部３３はエラー番号「４」の前の表示内容を表示し、下方入力部を操作すれば、表示部３３はエラー番号「４」の後の表示内容を表示する。以上のように、表示する表示内容が複数ある場合には、左上ドットセグメント３２２と右下ドットセグメント３２３の点灯に対応して、操作者は図１の十字スイッチ７の上方入力部又は下方入力部により個々の表示内容を切り替えて表示部３３に表示することができる。
【実施例２】
【００２７】
図４は、実施例２の表示部３４によりエラー番号を表示している状態を示す。表示部３４は、一部のドット付き７セグメント表示器３２である左から１番目のセグメント表示器３２のみを１８０度回転させて配置している。図４（ａ）は、表示する内容がエラー番号「４」のみであって他にはない場合の表示であり、左上ドットセグメント３２２と右下ドットセグメント３２３は非点灯状態となっている。図４（ｂ）は、エラー番号「４」だけではなく、その前にも表示する内容がある場合の表示であり、左から１番目のドット付き７セグメント表示器３２において左側に配置された左上ドットセグメント３２２が点灯状態となっている。図４（ｃ）は、エラー番号「４」だけではなく、その後にも表示する内容がある場合の表示であり、左から５番目のドット付き７セグメント表示器３２において右側に配置された右下ドットセグメント３２３が点灯状態となっている。図４（ｄ）は、エラー番号「４」だけではなく、その前後にも表示する内容がある場合の表示であり、左から１番目のドット付き７セグメント表示器３２において左側に配置された左上ドットセグメント３２２と、左から５番目のドット付き７セグメント表示器３２において右側に配置された右下ドットセグメント３２３が点灯状態となっている。
【００２８】
図４（ｂ）の表示の場合には、表示部３４の最も左側に配置された、左から１番目のドット付き７セグメント表示器３２における左上ドットセグメント３２２の点灯に対応して、操作者は図１において、十字スイッチ７の左方に左向きの三角印で示された左方を示す左方入力部を操作する。そうすると表示部３４はエラー番号「４」の前の表示内容であるエラー番号「２」等を表示する。また、図３（ｃ）の表示の場合には、最も右側に配置された、左から５番目のセグメント表示器３２における右下ドットセグメント３２３の点灯に対応して、操作者は図１において、十字スイッチ７の右方に右向きの三角印で示された右方を示す右方入力部を操作する。そうすると表示部３４はエラー番号「４」の後の表示内容であるエラー番号「５」等を表示する。さらに、図３（ｄ）の表示の場合には、図１の十字スイッチ７の右方入力部を操作すれば、表示部３４はエラー番号「４」の前の表示内容を表示し、左方入力部を操作すれば、表示部３４はエラー番号「４」の後の表示内容を表示する。
【００２９】
実施例１，２において、前の表示内容があるときには左上ドットセグメントを表示状態とし、後の表示内容があるときには右下ドットセグメントを表示状態としている。しかし、前の表示内容があるときには左上ドットセグメントと右下ドットセグメントの一方を表示状態とし、後の表示内容があるときには左上ドットセグメントと右下ドットセグメントの他方を表示状態とすればよい。
【実施例３】
【００３０】
図５は、実施例３の表示部３５により時刻を表示している状態を示す。図５（ａ）に示すように、一部のドット付き７セグメント表示器３２を１８０度回転させて配置している。実施例３において１８０度回転させて配置しているのは、左から１番目と４番目のドット付き７セグメント表示器３２である。そして、隣接配置された左から３番目のドット付き７セグメント表示器３２における右下ドットセグメント３２３と、左から４番目のドット付き７セグメント表示器３２における左上ドットセグメント３２２により時刻表示における「時」と「分」の間のコロンを表示する。
【００３１】
特に表示する内容がない通常時には、図５（ａ）のように表示部３５で現在時刻を表示する。図５（ａ）では、１０時５分を表示している。図５（ｂ）は、火災発生時に火災部屋番号「２１」を「Ａ」「ｄ」「ｄ」「２」「１」と表示した状態であり、火災発生時には、図５（ａ）のように表示した火災発生時刻と図５（ｂ）の火災部屋番号を数秒ごとに交互に切り替えて表示してもよい。
【００３２】
上記各実施例では、火災受信機１を例として挙げたが、火災受信機に接続されて監視員の宿直室等に設ける火災表示盤、消火設備における表示部を有した制御盤等を含んだ、防災装置である防災情報表示装置に適用することができる。
【符号の説明】
【００３３】
１  火災受信機、２  火災代表灯、３  表示部、３１  表示部、３２  セグメント表示器、３２１  ドットセグメント、３２２  左上ドットセグメント、３２３  右下ドットセグメント、３３  表示部、３４  表示部、３５  表示部、４  音響停止スイッチ、５  音響一時停止スイッチ、６  復旧スイッチ、７  十字スイッチ、８  地区表示部
【図１】
2018018364.tif 000003
【図２】
2018018364.tif 000004
【図３】
2018018364.tif 000005
【図４】
2018018364.tif 000006
【図５】
2018018364.tif 000007